(57)【要約】【課題】本体の弧形凹溝内に弧形部材を片手で握持して装着できることにより、組立が簡単なラチェットレンチを提供する。【解決手段】ラチェットレンチは、本体１０及び弧形部材２０を備える。本体１０のヘッド１１の位置には、貫通孔である収容孔１２が設けられ、収容孔１２には、ラチェットホイール３０が装着され、ラチェットホイール３０の外周面には、ラチェット歯面３１が設けられ、収容孔１２の側壁面には、内部に陥没した弧形凹溝１２１が設けられる。弧形部材２０は、弧形ブロック２１、ばね２２及びラチェット爪２３から構成され、片手で握持可能である上、弧形凹溝１２１内に簡単に装着可能である。ラチェット爪２３には、柱体２３１と、ラチェットホイール３０に対向する複数のラチェット歯２３２とが設けられている。【選択図】図１
0003172495.tif 000002
【実用新案登録請求の範囲】
【請求項１】
本体及び弧形部材を備えるラチェットレンチであって、
前記本体のヘッドの位置には、貫通孔である収容孔が設けられ、前記収容孔には、ラチェットホイールが装着され、前記ラチェットホイールの外周面には、ラチェット歯面が設けられ、前記収容孔の側壁面には、内部に陥没した弧形凹溝が設けられ、
前記弧形部材は、弧形ブロック、ばね及びラチェット爪から構成され、片手で握持可能である上、前記弧形凹溝内に装着可能であり、前記ラチェット爪には、柱体と、前記ラチェットホイールに対向する複数のラチェット歯と、が設けられ、前記弧形ブロックには、ばね収容孔が設けられ、前記柱体及び前記ばね収容孔には、前記ばねが装着されて位置規制され、前記弧形ブロックの側辺からは、前記ラチェット爪の側辺の方向に翼板が延伸され、前記翼板により、前記ラチェット爪、前記ばね及び前記翼板は、片手で握持可能である上、前記弧形凹溝内に装着可能であることを特徴とするラチェットレンチ。
【請求項２】
前記本体の収容孔の一方の端部には、環状凸縁が設けられ、他方の端部には、環状凹溝が設けられ、前記環状凸縁により、前記ラチェットホイールの一方の面が位置決めされ、前記環状凹溝に止め輪が係合されることにより、前記ラチェットホイールの他方の面が位置決めされ、これにより、前記ラチェットホイールが前記収容孔から脱落するのが防止されることを特徴とする請求項１に記載のラチェットレンチ。
【考案の詳細な説明】
【技術分野】
【０００１】
本考案は、ラチェットレンチに関し、特に、組立が簡単なラチェットレンチに関する。
【背景技術】
【０００２】
一般にラチェットレンチは、正回転させたとき、係合したボルトナットを回転させることができ、逆回転させたとき、空転する構造を有する。また、ボルトナットを回転させる方向をレバーで切り替えることができ、正回転させたとき、空転し、逆回転させたとき、ボルトナットを回転させることもできる。しかし、上述の従来のラチェットレンチは、利便性が高いとは言い難かった。そこで、ラチェットレンチのボルトナットを係合する係合孔を貫通孔にし、ヘッド両面が完全に同一形状のラチェットレンチが案出された。これにより、ラチェットレンチにレバーを設け、レバーを操作しなくても、ボルトナットに係合するヘッド面の向きを変更することにより、ボルトナットを回転させる方向を切り替えることができるようになったため、使用上の利便性が高まった。
【０００３】
上述の従来のラチェットレンチは、ボルトナットに係合するヘッド面の向きを変更することにより、ボルトナットを回転させる方向を簡単に変更することができる。しかし、上述のラチェットレンチは、ばねを介してラチェット歯をラチェットホイールに弾性当接させる必要があり、ばねが適当に位置規制されない場合、所望の弾性当接が実現されない。一般に、ばねの位置規制は、柱体又はばね収容孔によって行われる。ラチェット爪上に柱体を設けることは可能であるが、ラチェットレンチの凹溝内に柱体を成形したり、ばね収容孔を斜めに設けたりすることは、困難であるため、良品率を高めることができなかった。また、組立時、予め、ばね収容孔にばねを装着する必要がある。さらに、ラチェット爪の装着に注意したり、ばねがラチェット爪に与える動作が正確であるか否かに注意したりする必要がある。即ち、従来のラチェットレンチは、組立作業が困難であった。
【考案の概要】
【考案が解決しようとする課題】
【０００４】
本考案の目的は、本体の弧形凹溝内に弧形部材を片手で握持して装着できることにより、組立が簡単なラチェットレンチを提供することにある。
【課題を解決するための手段】
【０００５】
上記課題を解決するために、本考案の第１の形態によれば、本体及び弧形部材を備えるラチェットレンチであって、前記本体のヘッドの位置には、貫通孔である収容孔が設けられ、前記収容孔には、ラチェットホイールが装着され、前記ラチェットホイールの外周面には、ラチェット歯面が設けられ、前記収容孔の側壁面には、内部に陥没した弧形凹溝が設けられ、前記弧形部材は、弧形ブロック、ばね及びラチェット爪から構成され、片手で握持可能である上、前記弧形凹溝内に簡単に装着可能であり、前記ラチェット爪には、柱体と、前記ラチェットホイールに対向する複数のラチェット歯と、が設けられ、前記弧形ブロックには、ばね収容孔が設けられ、前記柱体及び前記ばね収容孔には、前記ばねが装着されて位置規制され、前記弧形ブロックの側辺からは、前記ラチェット爪の側辺の方向に翼板が延伸され、前記翼板により、前記ラチェット爪、前記ばね及び前記翼板は、片手で握持可能である上、前記弧形凹溝内に簡単に装着可能であることを特徴とするラチェットレンチが提供される。
【０００６】
前記本体の収容孔の一方の端部には、環状凸縁が設けられ、他方の端部には、環状凹溝が設けられ、前記環状凸縁により、前記ラチェットホイールの一方の面が位置決めされ、前記環状凹溝に止め輪が係合されることにより、前記ラチェットホイールの他方の面が位置決めされ、これにより、前記ラチェットホイールが前記収容孔から脱落するのが防止されることが好ましい。
【考案の効果】
【０００７】
本考案の組立が簡単なラチェットレンチは、本体の弧形凹溝内に弧形部材を片手で握持して装着することができる。
【図面の簡単な説明】
【０００８】
【図１】本考案の一実施形態によるラチェットレンチを示す分解斜視図である。
【図２】本考案の一実施形態によるラチェットレンチの弧形部材を示す分解斜視図である。
【図３】本考案の一実施形態によるラチェットレンチを示す断面図である。
【図４】本考案の一実施形態によるラチェットレンチの締緩可能状態を示す断面図である。
【図５】本考案の一実施形態によるラチェットレンチの空転状態を示す断面図である。
【考案を実施するための形態】
【０００９】
以下、本考案の実施形態について図に基づいて説明する。なお、これによって本考案が限定されるものではない。
【００１０】
図１を参照する。本考案の一実施形態によるラチェットレンチは、少なくとも本体１０、弧形部材２０及びラチェットホイール３０から構成される。
【００１１】
本体１０のヘッド１１の位置には、貫通孔である収容孔１２が設けられる。収容孔１２の側壁面には、内部に陥没した弧形凹溝１２１が設けられる。本体１０の収容孔１２の一方の端部には、環状凸縁１２２が設けられ、他方の端部には、環状凹溝１２３が設けられる。
【００１２】
弧形部材２０は、片手で握持可能である上、弧形凹溝１２１内に簡単に装着することができる。弧形部材２０は、弧形ブロック２１、ばね２２及びラチェット爪２３から構成される。弧形ブロック２１の側辺からは、ラチェット爪２３の側辺の方向に翼板２１１が延伸される。翼板２１１により、ラチェット爪２３、ばね２２及び翼板２１１を片手で握持し、弧形凹溝１２１内に簡単に装着することができる。弧形ブロック２１上には、ばね収容孔２１２が設けられる。ばね収容孔２１２には、ばね２２の一方の端部が位置規制される。ラチェット爪２３の端部には、柱体２３１が設けられる。柱体２３１は、ばね２２の他方の端部を位置規制する。
【００１３】
ラチェットホイール３０の外周面には、ラチェット歯面３１が設けられる。ラチェット歯面３１は人字形である。ラチェット爪２３のラチェットホイール３０と対向する面には、複数のラチェット歯２３２が設けられる。ラチェット歯２３２は人字形である。ラチェット爪２３の人字形のラチェット歯２３２とラチェットホイール３０の人字形のラチェット歯面３１とは、歯合される。ラチェットホイール３０内面には、貫通孔である係合孔３２が設けられる。ラチェットホイール３０は、収容孔１２に装着される上、環状凸縁１２２により、収容孔１２底部から脱落するのが防止される。また、収容孔１２の環状凹溝１２３部分に止め輪４０が係合されることにより、ラチェットホイール３０が収容孔１２上面から脱落するのが防止される。以上の構造により、ボルトナットに係合するヘッド１１の向きを変更することにより、ボルトナットを回転させる方向を変更することができるラチェットレンチが構成される。上述したことから分かるように、本考案の一実施形態によるラチェットレンチは、組立が簡単である。
【００１４】
図１〜図３を参照する。図１〜図３に示すように、本考案の弧形部材２０は、弧形ブロック２１、ばね２２及びラチェット爪２３から構成される。ラチェット爪２３には、柱体２３１が設けられる、また、ラチェット爪２３のラチェットホイール３０と対向する部分には、複数のラチェット歯２３２が設けられる。弧形ブロック２１には、ばね収容孔２１２が設けられる。柱体２３１及びばね収容孔２１２には、ばね２２が装着されて位置規制される。弧形ブロック２１の側辺からは、ラチェット爪２３の側辺の方向に翼板２１１が延伸される。翼板２１１により、ラチェット爪２３、ばね２２及び翼板２１１を片手で握持し、簡単に組立てることができる。即ち、弧形部材２０を片手で握持し、本体１０の収容孔１２の弧形凹溝１２１内に簡単に装着することができる。次に、ラチェットホイール３０を収容孔１２に装着することにより、弧形部材２０は、位置決めされる。最後に、収容孔１２の環状凹溝１２３に止め輪４０を係合する。以上の構造により、ボルトナットに係合するヘッド１１の向きを変更することにより、ボルトナットを回転させる方向を変更することができるラチェットレンチが構成される。上述したことから分かるように、本考案の一実施形態によるラチェットレンチは、組立が簡単である。
【００１５】
図４を参照する。図４に示すように、ボルトナットに係合するヘッド１１の向きを変更することにより、ボルトナットを回転させる方向を変更することができるラチェットレンチを使用するとき、ラチェットホイール３０の係合孔３２をボルトナットに係合する。これにより、本体１０を締緩可能方向に回転させたとき、ラチェット爪２３のラチェット歯２３２がラチェットホイール３０のラチェット歯面３１に歯合され、ラチェット爪２３が弧形凹溝１２１の狭い部分の方向に押圧されて固定される。このとき、本体１０の回転動力により、ボルトナットを回転させることができる。
【００１６】
図５を参照する。図５に示すように、本体１０を空転方向に回転させたとき、ラチェットホイール３０のラチェット歯面３１に歯合されていたラチェット爪２３のラチェット歯２３２が弧形凹溝１２１の広い部分の方向に押圧される。これにより、ラチェット歯面３１からラチェット歯２３２が離脱した状態となる。これにより、ボルトナット及びラチェットホイール３０は、本体１０の回転動力によって回転しないため、本体１０を空転させることができる。
【００１７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１８】
１０    本体
１１    ヘッド
１２    収容孔
２０    弧形部材
２１    弧形ブロック
２２    ばね
２３    ラチェット爪
３０    ラチェットホイール
３１    ラチェット歯面
３２    係合孔
４０    止め輪
１２１  弧形凹溝
１２２  環状凸縁
１２３  環状凹溝
２１１  翼板
２１２  ばね収容孔
２３１  柱体
２３２  ラチェット歯
【図１】
0003172495.tif 000003
【図２】
0003172495.tif 000004
【図３】
0003172495.tif 000005
【図４】
0003172495.tif 000006
【図５】
0003172495.tif 000007